Podtech/llm-jp-corpus-v4-ja_patent huggingface dataset:
(57)【要約】      （修正有）【課題】ビリヤード台の新たな設置場所を必要としない、既存の机、台、テーブルにクッションレールを複数取り付けた構造の家庭用簡易ビリヤード台を提供する。【解決手段】既存の机、台、テーブル１にラシャマット２を敷き、テーブルの端に独立したクッションレール３を複数設置して囲みを作る。そして、それらクッションレール３、３の隙間をポケット４とする。【選択図】図３
2014091006.tif 000002
【特許請求の範囲】
【請求項１】
机、台、テーブル（１）に独立したラシャマット（２）を敷くことを特徴とするビリヤード台である。
【請求項２】
机、台、テーブル（１）の端に独立したクッションレール（３）を設置したことを特徴とするビリヤード台である。
【請求項３】
机、台、テーブル（１）を囲ったクッションレール（３）とクッションレール（３）の隙間をポケット（４）としたことを特徴とするビリヤード台である。
【発明の詳細な説明】
【技術分野】
【０００１】
本発明は、既存の机、台、テーブルなど（以下、まとめてテーブルと呼ぶ）の端に、独立したクッションレールを複数取り付けた家庭用の簡易ビリヤード台に関するものである。
【背景技術】
【０００２】
従来、ビリヤード専用台は、サイズが大きく非常に重量があるため、その設置は広く安定した場所に限られていた。その分解、収納は極めて困難で、価格も高価なものであるため一般の家庭用としては普及しにくい娯楽用具であった（特許文献１参照）。
また、子供用としてビー玉ぐらいのボールで遊ぶミニサイズのおもちゃもあるが、ボードゲームとしては少し物足りないものであった（特許文献２参照） 。
【先行技術文献】
【特許文献】
【０００３】
【特許文献１】特許公表  ２００８−５２１５１８号公報
【特許文献２】特許公開  平９−７５５０３号公報
【発明の概要】
【発明が解決しようとする課題】
【０００４】
従来から屋内の娯楽として、ビリヤードは人気のある競技である。しかしながら、ビリヤード専用台は大きく、分解や収納は困難であることから、その設置には広い空間が必要とされている。また、重量もあることから床の強度も求められ、木造建築文化の日本では家庭用のテーブルゲームとしては、あまり普及していない背景があった。
なかには、家庭用として少し小さめで、脚をたたみ収納することができるビリヤード台もあるが、そのテーブル面は折りたたむことはできず、設置するのも収納するのも、やはり場所を必要とするものであった。
本発明は、以上のような欠点をなくすためになされたものである。
【課題を解決するための手段】
【０００５】
本発明は、どこの家庭にもある既存のテーブルにラシャマットを敷き、テーブルの端に独立したクッションレールを複数設置して囲みを作る。そして、それらクッションレールとクッションレールとの隙間をポケットとする。
本発明は、以上の構成よりなるビリヤード台である。
【発明の効果】
【０００６】
本発明は、既存のテーブル自体にクッションレールを固定するので、そのテーブルを片づけることもなく、ビリヤード台の設置場所を新たに探すことも必要ない。
その設置するクッションレールの構造は非常に単純であり、取り付け取り外しは簡単自在である。そのため食事の後テーブルをビリヤード台として使用し、遊び終えた後は、いつものテーブルに戻すことができるので非常に便利である。
そして、クッションレールをテーブルの端にしっかりと固定さえできれば、テーブルの形を選ばない。日本の座敷机、こたつなどは高さが低いので子供やお年寄り向きであると考えられる。また、ポケットをどこに設けるかで独自のフィールドも設定可能である。この様に、クッションレールが単体で独立しているため多様性がある。
使用後も、クッションレールはテーブル辺より短く、幅も大きくないので、収納、整理整頓が簡単である。
【図面の簡単な説明】
【０００７】
【図１】図１は本発明のクッションレールの斜視図である。（実施例１）
【図２】図２は本発明のラシャマットとクッションレール１個を設置した状態を示したテーブルの上面図である。（実施例２）
【図３】図３は本発明のクッションレール６個とポケットにボール受けを設置した状態を示したテーブルの上面図である。（実施例３）
【発明を実施するための形態】
【０００８】
以下、本発明を実施するための形態について説明する。
傷つきにくく丈夫で安定している既存のテーブル（１）の上に、テーブルの大きさに合ったラシャマット（２）を敷く。ラシャマット（２）は、単体で独立したものであり、テーブルを保護し、表面を平らで滑らかにする。
テーブルの端に複数のクッションレール（３）をしっかりと固定し、テーブルを囲むように設置する。クッションレール（３）は、単体で独立しており、ボールを反射するための壁として機能する。
クッションレール（３）とクッションレール（３）の隙間がポケット部分となるので、その隙間の下に網、かごなどでポケット（４）を設置する。
本発明は、以上のような構造である。これにより既存のテーブルを簡単にビリヤード台にすることができる。
【実施例】
【０００９】
図１は、本発明の実施例１の斜視図であって、テーブルの端に固定する単体のクッションレール（３）を表している。
【００１０】
図２は、本発明の実施例２の上面図であって、テーブル（１）上にラシャマット（２）を敷き、クッションレール（３）を１個設置したことを表した図である。
【００１１】
図３は、本発明の実施例３の上面図であって、ビリヤード台の基本形に合わせてクッションレール（３）を６個設置し、それらクッションレールどうしの各隙間をポケット（４）として、ボール受けを設置したことを表した図である。
【産業上の利用可能性】
【００１２】
クッションレールの構造が単純で、取り付け取り外しが簡単であるため、一般家庭でも手軽にテーブルをビリヤード台にすることができ、新たなパーティゲーム、ファミリーゲームとして普及することが期待できる。
座敷机、こたつなどを利用すれば、子供からお年寄りまでの家族の遊び、コミュニケーションの場として楽しむことができると考えられる。
また、これを機会としてビリヤードが個人の趣味、家族の娯楽として広く浸透すれば、より専門的なビリヤード台に興味を抱く人がでてくることも期待できる。
【符号の説明】
【００１３】
１    テーブル
２    ラシャマット
３    クッションレール
４    ポケット
５    クッション部
６    レール部
７    固定具アーム
８    締め具
【図１】
2014091006.tif 000003
【図２】
2014091006.tif 000004
【図３】
2014091006.tif 000005
(57)【要約】【課題】雨天の際、自転車での傘を持っての走行には規制がある。なぜなら、片手でハンドル操作、片方で傘を差す等危険窮まり無いからであり、又、傘を持ちながらの長時間作業等にも限界があった。【解決手段】雨天の際、傘を持っての自転車走行等の規制を緩和して頂くべく、両手が自由に使えるよう、先ず、人の身体サイズを考慮し、傘全体（１）（２）（３）を支えるための、取り外式心棒用固定金具（５）と取り外し式柄用固定金具（６）を設け、その金具に長さ調整用ホック付きヒモ（４）を設け、更に固定金具付き絞めつけゴムバンド（７）を設けて、リュック傘器具とした。【選択図】図１
2014091023.tif 000002
【特許請求の範囲】
【請求項１】
傘（１）（２）（３）部分を背負う方法をリュック式とし、人の身体サイズ、傘の形状等に対応できるよう取り外し式心棒用移動式固定金具（５）と取り外し式柄用固定金具（６）を設け、その金具（５）（６）に長さ調整ホック付きヒモ（４）を設け、更にそのヒモ（４）の弛みをなくすための固定金具付き絞め付けゴムバンド（７）を設けたリュック傘器具
【請求項２】
取り外し式で心棒用移動式固定金具（５）は、傘を開くための金具や傘を自動的に開く操作ボッチ等の金具がある心棒部分のため、その部分の金具を妨げないよう取り外し式で、かつ、心棒上下移動用固定金具装置。なお、皮、ゴム、樹脂等の材質を利用して固定金具を構成しても良い
【請求項３】
取り外し式で柄用固定金具（６）は、柄の形状を考慮するも、柄をセットしたら絶対に動かない、頑丈な固定金具装置。又、バックル付きバンドやゴム等で支える固定装置としても良い
【請求項４】
傘の固定方法をリュック式としているが、ねんねこ式や背中の上下固定金具から、ヒモを直接身体の前に持ってきて結ぶ方法でも良い。
又、だっこ式つまりリュック式をそっくり身体の前部で固定する方法とし、顔部には傘の心棒が顔を中心に左右に動かせるようにし、すべてを構成しても良い。
その他、肩に担ぐ両用器具で背中でも、胸の部分でも固定使用出来る方法としても良い。
【請求項５】
リュック傘の長さ調整用ホック付きヒモ（４）の材質には、布、皮、樹脂等を使用する。又、固定金具付き絞めつけゴムバンド（７）についても同様の材質で構成する。
【発明の詳細な説明】
【技術分野】
【０００１】本発明は、背中に傘を背負わせるため、傘を手で掴む柄部分と傘を握る心棒部分を結ぶヒモを設け、更にそのヒモの弛みをなくし、傘を安定、固定させるための絞め付けゴムバンドを設けたリュック傘器具に関するものである。
【背景技術】
【０００２】従来から背中に傘を背負わせるリュック傘器具はなかった。よって、雨天の際、自転車での走行が不能又手放しの長時間作業等に困難を余儀なくされていた。
【発明の開示】
【発明が解決しようとする課題】
【０００３】従来から傘を背負う取り外し式リュック傘器具がなかったので、雨天の際自転車での傘使用での走行が制限されており、更に手放しの長時間作業等が出来ず問題点が多々あった。
【課題が解決するための手段】
【０００４】本発明は、傘（１）（２）（３）を背負うべく、ヒモ（４）を設け、そのヒモ（４）の両先端に取り外し式心棒用移動式固定金具（５）と柄（３）に取り外し式柄用固定金具（６）を設け、更にそのヒモの緩みを安定、固定させるための固定金具付き絞めつけゴムバンド（７）を設けてリュック傘器具とした。
【発明の効果】
【０００５】本発明は、リュック傘器具とすることにより雨天の際、自転車での走行が可能になり、更に両手が使える長時間作業等が容易に出来る。
【発明を実施するための最良形態】
【０００６】本発明のリュック傘器具は、人の身体サイズを考慮し、傘全体を支えるための取り外し式心棒用移動式固定金具（５）と取り外し式柄用固定金具（６）を設け、その金具（５）（６）に人が背負う長さ調整用ホック付きヒモ（４）を設け、更にそのヒモの弛みを絞め付けるための固定金具付き締め付けゴムバンド（７）を設けて、リュック傘器具として実施される。
【実施例】
【０００７】実施例について、図面を参照して説明すると、〔図２〕〔図３〕のとおり、リュック傘を身体にセット、使用実施される。
【産業上の利用可能性】
【０００８】本発明の産業上の利用可能性は自明なので省略する。
【図面の簡単な説明】
【０００９】
【図１】本発明の実施形態を示すリュック傘の参考斜視図である。
【図２】同リュック傘を装着実施した正面から見た外観図である。
【図３】同リュック傘を装着実施した背面から見た外観図である。
【符号の説明】
【００１０】１．  傘
２．  心棒
３．  柄
４．  長さ調整用ホック付きヒモ
５．  取り外し式心棒用移動式固定金具
６．  取り外し式柄用固定金具
７．  固定金具付き絞め付けゴムバンド
【図１】
2014091023.tif 000003
【図２】
2014091023.tif 000004
【図３】
2014091023.tif 000005
(57)【要約】【課題】  ゴルフプレーヤーが、プレー中に受ける様々な精神的ストレスを軽減する為、人間が持つ嗅覚を活用して精神的に落ち着きと心が穏やかに成る様に導く事で、平常心にてゴルフプレーする事を目的とする。【解決手段】  本発明の香るゴルフボールは、多数のディンプルで形成された外表面樹脂部材に香りの永続性の有る香料を含有する事を特徴とする。【選択図】図１
2014091022.tif 000002
【特許請求の範囲】
【請求項１】
人間の持つ嗅覚を活用して、ゴルフプレー中に生じる様々なストレスを軽減し心を安定、穏やかにする事を特徴とする香るゴルフボール。
【請求項２】
前記香るゴルフボールは、ゴルフボール表面のディンプル形状を為す外表面部材樹脂に永続性の有る香料を含有させる事を特徴とする香るゴルフボール。
【請求項３】
前記香るゴルフボールに含有させる香料は、精神を安定させるシトラス系や清涼感あふれるミント系等人の気持ちをより良くする香料の他、コーヒーやチーズ等の食品系の香りを含有させて楽しむ事を特徴とする香るゴルフボール。
【発明の詳細な説明】
【技術分野】
【０００１】  本発明は、一般的に使用されているゴルフボールに関する。
【背景技術】
【０００２】  従来のゴルフボールは、ボールの飛距離を伸ばす為にボールの外表面に各種工夫したディンプルを施し、ボールの構造に工夫をしているものが主体である。【０００３】  従来のゴルフボールは、ボールの外表面に各種の色を施す事で視認性やファッション性を良くする事を主体としている。
【発明の開示】
【発明が解決しようとする課題】
【０００４】  前記の如く、ゴルフボールへの着色やディンプル形状等構造的な工夫を為されたものが多くゴルフプレーヤーのメンタルを改善するゴルフボールが無いのが現状である。【０００５】  上述の如く、ゴルフプレーヤーが良いスコアを出す為により遠くに飛ぶゴルフボールや視認性を高めたカラーボールは有るが、メンタルのスポーツと云われるにも拘らず、メンタル面をサポートするゴルフボールは無い【０００６】  本発明は、この様な点に鑑み為されたものであり、その目的は、ゴルフプレーヤーがプレー中に受ける様々な精神的ストレスを軽減し精神的に落ち着き、心が安定穏やかになる事で平常心にてゴルフプレーに集中する事に有る。
【課題を解決しようとするための手段】
【０００７】  上記の目的を達成しようとする本発明の香るゴルフボールは、多数のディンプルで形成された外表面部材樹脂に永続性の有る香りの香料を含有させる事を特徴とする。
【０００８】  前記香るゴルフボールは、例えばシトラス系の香りを含有する事で、ゴルフプレーヤーが緊張しストレスがかかるプレーの際に香るゴルフボールを嗅ぐ事で医学的にも証明されているシトラスの香りが心穏やかに安心感を与え落ち着いてプレー出来る精神状態へ導く。
【発明の効果】
【０００９】  以上説明したように、本発明によれば、多数のディンプルで形成された外表面部材樹脂にはシトラス系等の精神を穏やかに導く香料が含有されていることにより、ゴルフボール自体がその香りを発散する、この香るゴルフボールをゴルフプレーヤーが使用すればゴルフプレー中に緊張しストレスが掛かるプレーの際、その香りが緊張している精神を和らげ又緊張している意識は香りの方にも移ることから緊張が解けリラックスすることで気持ちの良いプレーが可能と成り、緊張から解き放たれた普段のスイングでプレー出来、その結果プレーヤーが良いスコアを出す事に繋がる。
更には、香るゴルフボールが飛んだ落下点において当該ボールを探す時もボールから発散される香りを追う事で視覚と嗅覚で探す事から全く香りが無いゴルフボールよりも見つけやすい。
【発明を実施するための最良の形態】
【００１０】  以下本発明の実施の形態を図面に基づき詳細を説明する。【００１１】  図１は、本発明の中央部の断面図である。【００１２】  図１に示す用にコア１と中間層２を覆う多数のディンプルで形成されたカバー３の外表面部材樹脂に永続性の有る香料を適量含有させる。【００１３】  図１に示す様カバー３の外表面部材樹脂に含有させる香料は、医学的にも証明されている精神を安定させると共に穏やかにするシトラス系の香料や清涼感あふれるミント系の香料等人の気持ちを良くする香料の他、コーヒー、チーズ等の食品系等の香りを含有させて楽しむ事も出来る。【００１４】  以上本説明の実施の形態及び実施例を説明したが、本発明はこれに限定されるもので無く、例えば、ゴルフボールにバナナ等の印刷を施しその香りを香るゴルフボールに含有させて一体で楽しみ事も可能である。
【図面の簡単な説明】
【００１５】
【図１】  本発明の断面図である。
【図１】
2014091022.tif 000003
(57)【要約】【課題】従来、カバンやバックの携帯雨用保護カバーは、雨天時のためにカバンに折り畳んで持ち歩き、雨天時にカバンやバックを覆い防水カバーとして使用するだけであった。雨天時の防水カバーとして使用しない時は、折り畳んで持ち歩くため荷物になってしまう。  本発明により、携帯して雨天時のカバンを守る携帯雨用保護カバーだけでなく防水カバーとして使用しない時には、カバンに携帯して通常時の買い物袋として使用し、二通りの使い方が出来るカバンの携帯雨用カバーを提供する。【解決手段】本体は、ビニール又は、ポリエステルの防水性素材の箱状体のカバーからなり、カバーの底部は、開閉部になり、開閉ファスナーを設け、開閉部を覆うフタを設け、フタを閉じるための留め具数個を設ける。袋体の上面には、取っ手を設け、ボタン穴を設ける。袋体の上面内側に取っ手を止めるためのボタンを設けるカバンの携帯雨用カバーである。【選択図】図１
2014091021.tif 000002
【特許請求の範囲】
【請求項１】
本体は、ビニール又はポリエステルの防水性素材の箱状体のカバーからなり、カバーの底部は、長手方向に横長状の切り込みからなる開閉部を設け、開閉部は開閉ファスナーにより、開閉自在とする。開閉ファスナーを覆うフタを設け、フタを閉じるための留め具を設けたカバンの携帯雨用カバー。
【請求項２】
底部の開閉部外周縁と底ブタに、複数の留め具を設けた請求項１のカバンの携帯雨用カバー。
【発明の詳細な説明】
【技術分野】
【０００１】  本発明は、通常は携帯用の買い物袋として使用し、雨が降ってきた時はカバンに被せて、カバンを覆う雨用カバーに関するものである。
【背景技術】
【０００２】  従来、カバンやバッグの携帯雨用カバーは、ビニール製の袋体になり、小さく折り畳んで、カバン等に入れ持ち歩いていた。また、雨カバーの開口部のサイズを調整して大きさの大小を問わず、対応してカバンやバックの携帯用防水保護カバーが知られている。（特許文献１参照）
【先行技術文献】
【特許文献】
【０００３】
【特許文献１】  特開２００２−１４２８２９号公報
【発明の概要】
【発明が解決しようとする課題】
【０００４】  従来、カバンの携帯雨用カバーは、雨天時のためにカバンに折り畳んで持ち歩き雨天時にカバンやバックを覆い防水カバーとして使用するだけであった。雨天時の防水カバーとして使用しない時には、折り畳んで持ち歩くため荷物になってしまう。
本発明は、以上の問題点を解決するためになされたものである。
【課題を解決するための手段】
【０００５】  本体は、ビニールやポリエステルの防水性素材の箱状体のカバーからなり、カバーの底部は開閉部になり、開閉ファスナーを設け、開閉部を覆うフタを設け、フタを閉じるための留め具数個を設ける。袋体の上面には、取っ手を設けボタン穴を設ける。袋体の上面内側に取っ手を止めるためのボタンを設ける。
本発明は、以上の構成よりなるカバンの携帯雨用カバー。
【発明の効果】
【０００６】  従来、カバンやバッグの携帯用防水保護カバーは、雨天時のためにカバンに折り畳んで持ち歩き、雨天時にカバンやバッグを覆い防水カバーとして使用するだけであった。
本発明により、携帯して雨天時のカバンやバッグを守る携帯用防水保護カバーだけでなく、防水カバーとして使用しない時には、カバンに携帯して通常時の買い物袋として使用し、二通りの使い方ができる。
【図面の簡単な説明】
【０００７】
【図１】本発明の斜視図
【図２】本発明の要部拡大の斜視図
【図３】本発明の使用状態を示す斜視図
【図４】本発明の使用状態を示す斜視図
【発明を実施するための形態】
【０００８】  以下、本発明の実施の形態を説明する。
（イ）上面を開放した開口部（８）を有する箱体からなるカバー（１）の底部（２）の長      手方向に横長状の切り込みからなる開閉部（４）を設け、開閉部（４）は、開閉フ      ァスナー（５）により、開閉自在とする。
（ロ）開閉部（４）を覆うように底ブタ（３）を設け、底ブタ（３）の縁辺に複数の留め      具雄片（６ａ）を設け、開閉部（４）外周縁に複数の留め具雌片（６ｂ）を設ける      。留め具（６ａ）（６ｂ）は、着脱自在とする。
（ハ）カバー（１）の開口部（８）の上縁内側に、両端を固定した手提げ部（９）を設け      、手提げ部（９）の中央に、ボタン穴（７ａ）を設ける。開口部（８）の上部中央      内側に、手提げ部（９）のボタン穴（７ａ）に対応するボタン（７ｂ）を設ける。      手提げ部（９）は、ボタン（７ａ）（７ｂ）により、着脱自在とする。
本発明は、以上のような構造である。
本発明を雨天時の雨用カバーとして使用する時は、カバー（１）の開口部（８）の上部中央内側のボタン（７ｂ）に、開口部（８）の上部縁内側に設けてある手提げ部（９）の対応するボタン穴（７ａ）を止める。カバー（１）の底部（２）にある底ブタ（３）の縁辺に設けた複数の留め具と対応する開閉部（４）の外周縁にある複数の留め具を取り外し、開閉部（４）にある開閉ファスナー（５）を開ける。
カバン（１０）の上から、開口部（８）を被せ、開口部（４）にカバンの手提げ部（１１）を通す。雨からカバンを守るために、底ブタ（３）に設けた複数の留め具（６ａ）と底部（２）に設けた対応する複数の留め具（６ｂ）を止めることで雨からカバンを守る雨用カバーとなり、装着中もそのままの状態でカバンの中身を出し入れすることができる。
本発明を買い物バッグとして使用する時は、カバン（１）の底部（２）にある開閉部（４）の開閉ファスナー（５）を締め、底ブタ（３）に設けた複数の留め具（６ａ）と底部（２）に設けた対応する複数の留め具（６ｂ）を止める。カバー（１）の開口部（８）の上部中央内側のボタン（７ｂ）と、開口部（８）の縁内側に設けた手提げ部（９）のボタン穴（７ａ）を取り外す。手提げ部（９）は、手提げとなり、荷物を入れる買い物袋となる。
【符号の説明】
【０００９】１カバー、  ２底部、  ３底ブタ、  ４開閉部、  ５開閉ファスナー、  ６ａ留め具雄片、６ｂ留め具雌片、  ７ａボタン穴、  ７ｂボタン、  ８開口部、  ９手提げ部、  １０カバン、  １１カバン手提げ部
【図１】
2014091021.tif 000003
【図２】
2014091021.tif 000004
【図３】
2014091021.tif 000005
【図４】
2014091021.tif 000006
(57)【要約】      （修正有）【課題】歯科医院で使用されている歯科診療台は、配管設備、配管接続工事が必要であるため歯科治療台、工事費が高額で工事日数を必要としていた。これら問題点の解決策の提供。【解決手段】歯科治療に伴う口腔内へのコップ等の給水による口腔内洗浄および、排唾液、嗽による排水を配管設備を接続せずに交換可能な容器に接続した給排水装置により配管設備、配管接続工事が必要とせずに歯科治療時に必要な給排水を可能にすることにより、非配管型給排水装置設置した歯面ホワイトニング・歯面クリーニング歯科医院設備を有する歯科医院形態を可能にした。【選択図】図１
2014091024.tif 000002
【特許請求の範囲】
【請求項１】
歯科治療に伴う口腔内へのコップ等の給水による口腔内洗浄および、排唾液、嗽による排水を配管設備に接続せずに交換可能な容器に接続した非配管型給排水装置を設置した歯面ホワイトニング・歯面クリーニング歯科医院設備を有する歯科医院形態を特徴とする歯科医院
【発明の詳細な説明】
【技術分野】
【０００１】この発明は、歯科治療に伴う口腔内へのコップ等の給水による口腔内洗浄および、排唾液、嗽による排水を配管設備に接続せずに交換可能な容器に接続した給排水装置設置した歯面ホワイトニング・歯面クリーニング歯科医院設備を有する歯科医院形態に関するものである。
【背景技術】
【０００２】従来の歯科治療に伴う歯科治療台は配管を必要とし、治療用具が付属し歯科治療に伴う口腔内へのコップ等の給水による口腔内洗浄および、排唾液、嗽による排水が付随した給水コップと排水の鉢洗いでなされていたため、その歯科治療台も高額で設備工事も配管工事が必要であったため高額で工事日数も必要としていた。【０００３】その内容については、装置がある。これらの装置の一部は下記に示す特許文献において紹介されている【０００４】
【特許文献１】特開２００７−５４１５９公報
【発明の概要】
【発明が解決しようとする課題】
【０００５】現状において歯科医院で使用されている歯科診療台は配管を必要とし、治療用具が付属し歯科治療に伴う口腔内へのコップ等の給水による口腔内洗浄および排唾液、嗽による排水が付随した給水コップと排水の鉢洗いでなされている形態であるため歯科治療台も高額で設備工事も配管工事が必要であったため高額で工事日数も必要としていた。
【課題を解決するための手段】
【０００６】本発明は歯科治療に伴う口腔内へのコップ等の給水による口腔内洗浄および、排唾液、嗽による排水を配管設備を接続せずに交換可能な容器に接続した給排水装置を設置した歯面ホワイトニング・歯面クリーニング歯科医院設備を有する歯科医院形態を考えた。
【発明の効果】
【０００７】現状におけての歯科医院で使用されている歯科診療台は配管を必要とし、治療用具が付属し歯科治療に伴う口腔内へのコップ等の給水による口腔内洗浄および排唾液、嗽による排水が付随した給水コップと排水の鉢洗いでなされている形態であり、配管設備、配管接続工事が必要であるため、歯科治療台も高額で設備工事も配管工事が必要であったため高額で工事日数も必要としていた。
本考案の歯科治療に伴う口腔内へのコップ等の給水による口腔内洗浄および、排唾液、嗽による排水を配管設備を接続せずに交換可能な容器に接続した給排水装置により配管設備、配管接続工事が必要とせずに歯科治療時に必要な給排水を可能しることによって、本発明の非配管型給排水装置設置した歯面ホワイトニング・歯面クリーニング歯科医院設備を有する歯科医院形態を可能にした。
【発明の実施するための形態】
【０００８】以下、本発明の実施の形態について説明する。
（イ）、１非配管型給排水装置２非配管型歯科診療椅子
【図面の簡単な説明】
【図１】本発明の平面図である。
【符号の説明】１  非配管型給排水装置
２  非配管型歯科診療椅子
【図１】
2014091024.tif 000003
(57)【要約】【課題】  従来のやかんは沸騰する蒸気圧で笛を鳴らす仕掛けだったので、やかんのデザインが限られ笛の鳴る音がうるさく感じる人がいる。【解決手段】  本考案はやかん（１）の蓋（２）とツマミ（３）を固定するボルト（７）に沸騰感知孔（８）を設けて、その沸騰感知孔（８）を通って来る熱を温度センサー（（６）で感知し沸騰を電池でチヤイム（４）が鳴る事が特徴とする。【選択図】図３
2014091026.tif 000002
【特許請求の範囲】
【請求項１】
やかん（１）の蓋（２）とツマミ（３）を固定するボルト（７）に沸騰感知孔（８）を開けたボルト（７）で固定し、沸騰感知孔（８）に温度センサー（６）を設け、電池（５）で、沸騰をチヤイム（４）で知らせる、やかん蓋のツマミ（３）である。
【発明の詳細な説明】
【技術分野】
【０００１】  本発明はやかん蓋（２）のツマミ（３）に沸騰感知孔（８）を設けたボルト（７）で固定し、その沸騰感知孔（８）を通って来る熱を温度センサー（６）で感知し、チャイム（４）で、お湯の沸騰を知らせる、やかん蓋のツマミ（３）である。
【背景技術】
【０００２】  従来の沸騰を知らせる、やかんは蒸気を噴き出す力で笛をならす仕掛けである。
構造状やかんの内圧を高めるため、注ぎ口・蓋を密閉状態にしなくてはいけなかった、そのために、やかんのデザインが限られる。
【発明の開示】
【発明が解決しようとする課題】
【０００３】  これは次のような欠点があった。
（イ）従来の沸騰を知らせる、やかんは蒸気の圧力で笛をならす装置なので、おのずと、やかんのデザインが限られる。
（ロ）従来の笛吹きやかんは、でる音が高音なので、人によっては、うるさく感じる。
本発明は、これらの欠点を除くためになされたものである。
【課題を解決するための手段】
【０００４】  本発明は、やかん（１）蓋（２）の、ツマミ（３）を固定するボルト（７）に沸騰感知孔（８）を設けて、沸騰感知孔（８）を通って来る沸騰の熱を温度センサー（６）で感知し電池でチャイム（４）を鳴らす事で沸騰を知る事が出来る。
なお、電池は詰め替え電池、太陽電池でも良い、それに沸騰を知らせるチャイムはベル及びランプに替えても良い。
【発明の効果】
【０００５】  本発明を蓋（２）にツマミ（３）を取り付ける事で色々なデザインのやかんで沸騰がわかる、やかん（１）になり、今まで沸騰で鳴る笛がうるさく感じていた人も気持ち良くお湯を沸かし沸騰をチャイム（４）で知る事が出来、そこで、空だきも無くなる。
【発明を実施するための最良の形態】
【実施例】
【０００６】  本発明は、以上の構造の、やかん（１）に水を入れ蓋（２）をしてコンロでお湯を沸かし沸騰させ、沸騰感知孔（８）を通って来る熱を温度センサー（６）で感知し、電池でチャイム（４）が鳴る事で沸騰を知る事が出来る。
【図面の簡単な説明】
【０００７】
【図１】やかんの図
【図２】本発明の機能ブロック図
【図３】本発明のやかん蓋ツマミの断面図
【符号の説明】
【０００８】  １  やかん
２  蓋
３  ツマミ
４  チャイム
５  電池
６  温度センサー
７  ボルト
８  沸騰感知孔
【図１】
2014091026.tif 000003
【図２】
2014091026.tif 000004
【図３】
2014091026.tif 000005
(57)【要約】【課題】木材固有の木地・年輪模様と多彩な染絵模様を調和融合させることを特徴とする、木材工芸品への染絵模様表現方法である。【解決手段】木地に下絵を描き、輪郭線を糊で筒描きし、染料を用いて模様部を彩色したのち水洗いし、糊を除去することで、木地表面に染絵模様を表現する。【選択図】図３
2014091322.tif 000002
【特許請求の範囲】
【請求項１】
木地表面を砂またはサンドペーパーで磨き、次に、木地に青花（ツユクサ）液で下絵を描き、次に、下絵に沿って水溶性糯米糊を用いて輪郭線を筒描きし、次に、大豆液を刷毛で引き加熱乾燥させ、次に固着剤カゼインを加えた染料で模様部を彩色し加熱乾燥させ、次に、木地表面を蒸すか固着助剤ミョウバン水を塗布したのち加熱乾燥させ、次に、水洗いし糊を除去すること、を特徴とする染絵模様の表現方法。
【発明の詳細な説明】
【技術分野】
【０００１】本発明は、木材固有の木地・年輪模様と多彩な染絵模様を調和融合させることを特徴とする、木材工芸品への染絵模様表現方法に関するものである。
【背景技術】
【０００２】従来、木材工芸品に絵を手描きしたもの或いは印刷したものは存在するが、糊染手描き絵模様を木地に染め付けて表現されたものは存在しない。
【先行技術文献】
【特許文献】
【０００３】
【特許文献１】特開平７−１１７３９９
【発明の概要】
【発明が解決しようとする課題】
【０００４】伝統技法「友禅染」として知られる糊染は元来、絹織物等の繊維材に対して施されるものであり、同様の方法を木材に対して行うことは繊維とは性状が異なるため、染料が最終工程の水洗い時に流動してしまうことなどから困難とされ、糊染手描き絵模様を木地に染め付けて表現されたものは存在しなかった。【０００５】従来の技術は油性系のペイント・顔料・染料を木材表面に重ね塗りしたもの、すなわち堆積したものである。例えば、特開平７−１１７３９９で開示されている方法にあっても、膠着材で溶かした染料や顔料を木材表面に堆積して絵柄模様を表現した「糊染風」の表現に留まっている。
【課題を解決するための手段】
【０００６】本発明の表現方法は、油性系のペイント・顔料・染料を一切使用せず、木材素材に染料を重ね塗りするのではなく、木材素材に染料で描いた模様を染み込ませることで、木材固有の木地・年輪模様と多彩な染絵模様を調和融合させることを特徴とする、木材工芸品への染絵模様表現方法を提供するものである。【０００７】最終工程の水洗い時に染料が流動しないよう木材の性状を改質するために、彩色を施す前に木地に対する前処理として、木地の油抜きをするために木地表面を砂またはサンドペーパーで磨き、彩色を施す準備とする。この前処理によって、木材固有の木地・年輪模様と多彩な染絵模様を調和融合させて木地に染料を染め付けることが可能となる。【０００８】彩色模様をペイント等で重ね塗るのでは無く、輪郭線を残した多彩な手描きの染絵模様を木地に染め付けることが可能になるばかりでなく、染め付けた絵柄を通して木材固有の木地模様や年輪が透けて見えるという、従来に無い木材工芸品の装飾技術を提供するものである。
【発明の効果】
【０００９】本発明の方法により、木材工芸品に染絵手書き絵模様を表現することが可能になるばかりでなく、木材固有の木地・年輪模様と多彩な染絵模様を調和融合させること、さらに金箔・金泥を仕上げに用いた骨描きを施すことにより、木材工芸品の装飾技術を大いに発展させることが出来、用途の多極多様化を図ることが期待される。
【図面の簡単な説明】
【００１０】
【図１】本発明の方法で木地に青花（ツユクサ）液で下絵を描いた状態を示す断面図である。
【図２】本発明の方法で下絵に沿って水溶性糯米糊を用いて輪郭線を筒描きした状態を示す断面図である。
【図３】本発明の方法で輪郭線内に染料を用いて模様部を彩色した状態を示す断面図である。
【図４】本発明の方法で下絵および輪郭線を除去した状態を示す断面図である。
【発明を実施するための形態】
【００１１】
【実施例】
【００１２】本発明の一つの実施例は以下の如くである。まず、木地１の油抜きをするために木地表面を砂またはサンドペーパーで磨き、次に、木地に青花（ツユクサ）液２で下絵を描く。次に、下絵に沿って水溶性糯米糊３を用いて輪郭線を筒描きする。次に、木地に糊を食い込ませるために大豆液を刷毛で引き加熱乾燥させる。次に固着剤カゼインを加えた染料４で輪郭線内に模様部を彩色し、染料の流動を防ぐために加熱乾燥させる。次に、染料を固着させるために木地表面を蒸すか固着助剤ミョウバン水を塗布したのち加熱乾燥させる。次に、水洗いし青花（ツユクサ）液２および水溶性糯米糊３を除去することで明瞭な輪郭を伴った染絵模様が木地表面に表現される。【００１３】水溶性糯米糊は、糯米粉と糠を混練し団子状にしたものを蒸したのち、石灰液と蘇芳液を加えて濾過し、全体が冷めてから細筒に入れたものである。【００１４】大豆液は、生の大豆をすりつぶし液状にしたものである。
【産業上の利用可能性】
【００１５】本発明は木材工芸品、例えば、額縁、木製家具、つい立て、屏風、木製建具、壁材等への応用が考えられる。
【符号の説明】
【００１６】１    木地
２    青花（ツユクサ）液を用いた下絵
３    水溶性糯米糊を用いた輪郭線
４    染料を用いて彩色した模様
【図１】
2014091322.tif 000003
【図２】
2014091322.tif 000004
【図３】
2014091322.tif 000005
【図４】
2014091322.tif 000006
(57)【要約】【課題】  表紙を開かなくても中の書類のインデックスラベルが外側から確認できるように、表紙に窓を設けた窓付きのファイルを提供する。【解決の手段】  表紙に窓（１）を設けた窓付きの書類綴じ用ファイルを特徴とする。【選択図】図１
2014091328.tif 000002
【特許請求の範囲】
【請求項１】
表紙に窓（１）を設け、中の書類のインデックスラベルが外側から見えるようにした構造の窓付きの書類綴じ用ファイル。
【発明の詳細な説明】
【技術分野】
【０００１】  この発明は、表紙に窓を設けた構造をなす窓付きの書類綴じ用ファイルに関するものである。
【背景技術】
【０００２】  従来、ファイルの中に何の書類が入っているのかはファイルを開かないと分からなかった。
【発明の開示】
【発明が解決しようとする課題】
【０００３】  これには、次のような欠点があった。
分類された書類のファイルが数冊に及ぶ場合、すべてのファイルの表紙を開いて書類を探すのには多くの時間を要した。本発明は、以上のような欠点をなくすためになされたものである。
【課題を解決するための手段】
【０００４】  ファイルの中に綴じてある書類のインデックスラベルが、ファイルを開かなくとも外側から見えるように表紙に窓（１）を設ける。
本発明は、以上の構成よりなる書類を綴じるための窓付きのファイルである。
【発明の効果】
【０００５】  ファイルの表紙に窓が付いているため、ファイルを開かなくとも中に入っている書類のインデックスラベルを外側から確認することが可能となる。
【発明を実施するための最良の形態】
【０００６】  以下、本発明を実施するための最良の形態について説明する。
ファイルの表紙に窓（１）を設ける。
本発明は、以上のような構造である。
これを使用するときは、ファイルを閉じたまま窓を通して中の書類のインデックスラベルを確認し、所定の書類を取り出せばよい。
【図面の簡単な説明】
【０００７】
【図１】  本発明の斜視図である。
【符号の説明】
【０００８】  １  窓
２  透明シート
３  ファイル
【図１】
2014091328.tif 000003
(57)【要約】【課題】本発明は高効率の清掃方法に関する。【解決手段】  本発明の高効率の清掃方法は、以下の１）安全型噴霧スプレーガンを使用して洗浄剤を不織布に吹きかけ、前記洗浄剤が樹脂硬化物、発泡マイクロカプセルおよび水を十分に撹拌した混合液であり、スプレー量が１００〜３００ｇ／ｍ２である工程と；２）不織布を乾燥機に入れて乾燥させ、乾燥機の乾燥温度が１５０℃、乾燥時間が５分間である工程と；３）乾燥後の不織布を利用して清掃拭き取りを行う工程とを含む。本発明の有益な効果として、本発明は高効率の清掃方法であり、本方法の使用により、洗浄剤の使用量が減少するだけでなく、清潔で衛生的であり、ナイロン不織布の汚れ除去力が向上し、清掃性能が増強する。また、水質汚染が減少し、環境を保護する。【選択図】なし【特許請求の範囲】
【請求項１】
高効率の清掃方法であって、以下の
１）安全型噴霧スプレーガンを使用して洗浄剤を不織布に吹きかけ、前記洗浄剤が樹脂硬化物、発泡マイクロカプセルおよび水を十分に撹拌した混合液であり、スプレー量が１００〜３００ｇ／ｍ２である工程と；
２）不織布を乾燥機に入れて乾燥させ、乾燥機の乾燥温度が１５０℃、乾燥時間が５分間である工程と；
３）乾燥後の不織布を利用して清掃拭き取りを行う工程と、
を含むことを特徴とする、高効率の清掃方法。
【請求項２】
前記樹脂硬化物、発泡マイクロカプセルおよび水の重量部数比が１０：１：３であることを特徴とする、請求項１に記載の高効率の清掃方法。
【請求項３】
前記樹脂硬化物は、ガラス化温度が１５℃のアクリル樹脂であることを特徴とする、請求項２に記載の高効率の清掃方法。
【請求項４】
前記発泡マイクロカプセルの発泡率が８〜１０倍であることを特徴とする、請求項３に記載の高効率の清掃方法。
【請求項５】
前記洗浄剤に適当な顔料を添加することを特徴とする、請求項１〜４のいずれか１項に記載の高効率の清掃方法。
【発明の詳細な説明】
【技術分野】
【０００１】
本発明は、高効率の清掃方法に関する。
【背景技術】
【０００２】
生活においては、一見清潔な表面でも常に汚れが存在しており、これらの汚れは人々の心身の健康に深刻な影響を及ぼす。拡大鏡でこれらの表面を観察すると、どんなに滑らかな表面でも、実際には平らではなく、多くの隙間が存在していることがわかる。これらの隙間は０．１ｍｍの幅しかないかもしれないが、まさにこれらの隙間には見えない汚れが隠れている。現在、人々がこれらの汚れを清掃するとき、使用する布地の繊維の粗度が大きすぎて、隙間に入って清掃することができず、それにより、清掃効果が低下する。あるいは、より多くの洗浄剤を使用して、これらの微小な隙間の汚れを溶解して清掃効果を達成する。このように、大量の洗浄剤を使用するだけでなく、水質汚染を深刻にし、環境保護にとってマイナスである。
【発明の概要】
【発明が解決しようとする課題】
【０００３】
本発明の目的は高効率の清掃方法を提供することであり、既存の清掃方法に存在する上記の不足を克服する。
【課題を解決するための手段】
【０００４】
本発明の目的は、以下の技術案により実現する。
【０００５】
高効率の清掃方法は、以下の工程を含む。
１）安全型噴霧スプレーガンを使用して洗浄剤を不織布に吹きかける。前記洗浄剤は樹脂硬化物、発泡マイクロカプセルおよび水を十分に撹拌した混合液であり、スプレー量は１００〜３００ｇ／ｍ２である。
２）不織布を乾燥機に入れて乾燥させる。乾燥機の乾燥温度は１５０℃、乾燥時間は５分間である。
３）乾燥後の不織布を利用して清掃拭き取りを行う。
【０００６】
好ましくは、前記樹脂硬化物、発泡マイクロカプセルおよび水の重量部数比は１０：１：３である。
【０００７】
好ましくは、前記樹脂硬化物は、ガラス化温度が１５℃のアクリル樹脂であり；前記発泡マイクロカプセルの発泡率は８〜１０倍である。
【０００８】
好ましくは、前記洗浄剤に適当な顔料を添加する。
【発明の効果】
【０００９】
本発明の有益な効果として、本発明の高効率の清掃方法は、発泡技術を利用し、樹脂を発泡させ、発泡体の壁をミクロンレベルまで薄くする。それにより、清掃過程で微細な隙間に深く入ることができ、垢を取り除く高効率の清掃方法を達成する。本方法の使用により、洗浄剤の使用が減少するだけでなく、清潔で衛生的であり、ナイロン不織布の汚れ除去力が向上し、清掃性能が増強する。また、水質汚染が減少し、環境を保護する。
【発明を実施するための形態】
【実施例】
【００１０】
本発明の実施例に記載する高効率の清掃方法について、前記清掃方法は以下の工程を含む。
１）安全型噴霧スプレーガンを使用して洗浄剤を不織布に吹きかける。使用する洗浄剤は樹脂硬化物、発泡マイクロカプセル、水および適当な顔料を十分に撹拌した後の混合液である。このうち、前記樹脂硬化物、発泡マイクロカプセルおよび水の重量部数比は１０：１：３であり；前記樹脂硬化物は、ガラス化温度が１５摂氏温度のアクリル樹脂であり；前記発泡マイクロカプセルの発泡率は８〜１０倍であり、スプレー量は１００〜３００ｇ／ｍ２である。
２）不織布をすぐに乾燥機に入れて乾燥させる。乾燥機の乾燥温度は１５０℃、乾燥時間は５分間である。乾燥過程において、発泡マイクロカプセルは熱せられて膨張し、アクリル樹脂粒子は元の体積の３〜１０倍の大きさまで膨張する。樹脂膜の厚さは約０．００１ｍｍ〜０．０１ｍｍである。
３）乾燥後の不織布を清掃拭き取りに使用することができる。
【００１１】
具体的に使用するとき、乾燥後の不織布で物体の表面を拭き取るが、表面の隙間の幅は０．１ｍｍであり、乾燥後の不織布における洗浄剤の樹脂膜の厚さは０．００１ｍｍ〜０．０１ｍｍであるため、清掃拭き取りの過程において、これらの清掃の膜壁はこれらの微小な隙間に進入することができる。洗浄剤に樹脂硬化物が含有されており、この樹脂硬化物は一定の撥油性を有し、なおかつ一定の硬度を有するため、汚れ除去の効率が大幅に増大し、清掃の性能が増大し、汚染物が取り除かれる。本方法は実用性が高いだけでなく、使用が便利で、洗浄剤の使用量が減少し、環境汚染が低減する。
【００１２】
本発明は上記の好ましい実施方式に制限されず、いかなる人も本発明の教示により、その他の各種形式の製品を生成ことができる。しかし、その形状または構造におけるいかなる変化に関わらず、本出願と同じまたは互いに近似の技術案を有するものは、いずれも本発明の保護範囲内に含まれる。
(57)【要約】      （修正有）【課題】変換効率が低い太陽電池セルの変換効率を向上させ、さらに、設置する敷地の利用率を向上させた太陽光発電システムを提供する。【解決手段】太陽電池セルの一端に集光レンズ、反射板、可視光発光ダイオード照明装置の付いた光導管２を内蔵させた太陽電池モジュール３を、建物の最上部から一階の床面までの各階に設置し、建物の最上部から入射した太陽光を光導管２を通して、順次各階の床面、天井面の太陽電池モジュール３に照射する。【選択図】図３
2014204112.tif 000002
【特許請求の範囲】
【請求項１】
太陽電池セルの一端に、集光レンズ、発光ダイオード照明（可視光線）装置、アルミ反射板の付いた光導管を内蔵させる。
【請求項２】
高階層構造の、各階において、床面．天井面に、反射板付太陽電池モジュールを設置。
【発明の詳細な説明】
【技術分野】
【０００１】この発明は、太陽電池セルに集光レンズ、発光ダイオード（可視光線）反射板を内蔵した光導管を埋め込み、高階層（例として、十階建て）のモジュールと一体化した、太陽電池パネルの変換効率向上に関するものである
【背景技術】
【０００２】従来の太陽電池セルでは、変換効率は１０パーセントから５０パーセントである。
【発明の概要】
【発明が解決しようとする課題】
【０００３】（１）  太陽光発電の大量発電には、広い設置面積が必要だった。
（２）  更に、セル及びモジュールの生産コストが割高である。
（３）  昼間中、南側に向けたモジュールに太陽光が直入射する時間が限られている。
（４）  夜間、雨天は発電はしない。
本発明は、以上のような欠点を大幅に改良する為に、なされたものである。
【課題を解決するための手段】
【０００４】（１）
太陽電池セル（１）の一端に、集光レンズ、反射板、発光ダイオード照明（可視光線）の装置を内蔵した光導管を埋め込む。
（２）
高階層の各部屋（３）において、床面と天井面の太陽電池モジュール両面に、太陽光を吸収、反射させる。
本発明は、以上の構造よりなる、集光レンズ、反射板、発光ダイオード照明（可視光線）の光導管を内蔵した、太陽電池セル及びモジュールである。
【発明の効果】
【０００５】太陽電池セルと集光レンズ、反射板、発光ダイオード照明（可視光線）の光導管が一体となっており、特に、高階層の最上部（屋根）にあるセルの形状、角度、更に、集光レンズ、反射板、発光ダイオード照明（可視光線）を工夫設置する事で、昼間の時間、全方位から採光できる。
雨天、夜間は発光ダイオード照明（可視光線）装置で代替できる。
例えば、十階から一階部分まで、床面と天井面で、モジュールによる太陽光発電が可能である。
これにより、太陽電池セルの変換効率の向上、土地面積の効率向上を大幅に図る事ができる。
【図面の簡単な説明】
【０００６】
【図１】  本発明の平面図である。
【図２】  本発明の断面図である。
【図３】  本発明の断面図である。
【発明を実施する為の形態】
【０００７】以下、本発明を実施する為の形態について説明する。
太陽電池セル（１）の一端に、光導管を内蔵させ、その光導管の内側部分（２）はアルミの反射板として、集光レンズ、発光ダイオード照明（可視光線）装置とする。
そのセルを集合したモジュールは、高階層式「３］に固定する。光導管を使い各階のモジュールの床面、天井面の両面構造で太陽光を吸収させる。
一方、天井面の反射板で反射された光は、床面の光導管に入り、集光レンズで強められ、下の階の床面、天井面のモジュールに吸収され、反射された光は順次、下の階へ伝えられて、吸収、反射を繰り返していく。
本発明は、以上のような構造である。
光の直進、反射、屈折の三法則を考えて、最上階の屋根の部分に当たるモジュールは全方位の太陽光を採光する為に、角度の異なる複数の反射板と、集光レンズを設置する。
高階層における、各階の床面と天井面の反射板、更に、床面と天井面の間隔はセル及びモジュールの性質に応じて、変換効率を考えて採用する。
これを使用するときは、太陽電池セル及びモジュール、光導管のメンテナンスを考慮し、修理及び取替の為の適切な間隔を採用する。
高階層の構築物には、反射板の壁を設けるか、外側に反射板を設けるかは、太陽光発電の目的、状況に応じて選ぶ事が出来る。
その他の応用例として、屋根発電、電気自動車、建設機械、移動式太陽光発電機器。
又、光導管の代用として、光の損失が少ない、光ファイバの線を活用する。
光の強さと発電量は正比例するので、太陽光発電の目的、状況に応じて、低倍率、高倍率の集光レンズの組み合わせを採用する。
反射された光を、集光レンズを通すことで、光の強さを維持する。
Ｉセンチ角の電池セルでも、充分に威力を発揮できる。高効率の太陽光発電システムを作り出すことが可能になる。
三波長合成の白色光ダイオードは、太陽光に近い。太陽光の代用として雨天、夜間の発電に活用。室内、地下室の発電も可能。
小型の発光ダイオード電球を内蔵させる。集光レンズを通じて、発光ダイオード（可視光線）をモジュールに反応させる。
多くの光を干渉させて、受光器、光導管に入れると、光の増幅の掛け算ができる。
光を吸収する側のセルは，八面体、パラボアアンテナ型も有効。
光導管の集光レンズを二段活用。
発光ダイオードは、白熱電灯のように過大な熱は出さない。
高集光タイプの光学系レンズは、２００倍から５００倍。
【符号の説明】
【０００８】１  太陽電池セル（光導管内臓）
２  光導管
３  高階層の床面、天井面
【図１】
2014204112.tif 000003
【図２】
2014204112.tif 000004
【図３】
2014204112.tif 000005
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
高階層構造の太陽電池装置であって、該高階層構造の各階において、床面及び天井面に太陽電池モジュールが配置されており、該太陽電池モジュールは太陽電池セルの一端に集光レンズ、可視光線を照射する発光ダイオード照明装置、アルミ反射板の付いた光導管を内蔵させることを特徴とする高階層構造の太陽電池装置。
(57)【要約】      （修正有）【課題】スピニングリールのスプールに巻かれている糸の洗浄時において、ドラッグ内への水の浸入を防止し、長時間水による漬け置き洗浄ができる器具を提供する。【解決手段】ゴム製の球体にボルトを設置した部材１とゴム製球体にナットを設置した部材２で構成する。ゴム製の球体にボルトを設置した部材１をスプール３下部から挿入し、ゴム製球体にナットを設置した部材２をスプール３上部からボルトに締めこむことで、ドラッグ４内への水の進入を防止する。上記の状態から長時間水による漬け置き洗浄が可能となり、糸より塩分が除去されることでスプール３の材料となる金属の腐食防止と糸の劣化の防止ができることを特徴とする。【選択図】図１
2014204708.tif 000002
【特許請求の範囲】
【請求項１】
本請求は、ゴム製の球体にボルトを設置した部材（１）をスプール（３）下部から挿入し、ゴム製球体にナットを設置した部材（２）をスプール（４）上部ボルトに締め込みことでドラッグ（４）内への水の侵入を防止する機構を設ける。
【発明の詳細な説明】
【技術分野】
【０００１】  この発明は、海釣りで使用したスピニングリールのスプールに巻かれている糸の洗浄時において、ドラッグ内への水の浸入を防止し、スプールに巻かれた糸を長時間水による漬け置き洗浄ができる器具に関するものである。
【背景技術】
【０００２】  従来は、直接リール本体に水をかけるか又はスプールに巻かれていた糸を他の糸巻き器具に巻き変えて、水による漬け置き洗浄を実施していた。
【発明の概要】
【発明が解決しようとする課題】  これには次のような欠点があった。
リールに直接水をかけてスプールに巻かれている糸の洗浄を実施した場合、リール内部への水の侵入を極力防止するために短時間の水洗浄となることから、糸より塩分が取りきれない状態となり、塩分が起因してスプールの材料となる金属の腐食と糸の劣化が発生していた。また、リールに直接水をかけることによってドラッグ内に水が浸入し、潤滑油と水が混ざることによって性能の低下が発生していた。他の糸巻き器具に巻き変えて洗浄する場合、水による長時間の漬け置き洗浄をできるが、糸の巻き替えに時間を要した。
【課題を解決するための手段】  ゴム製の球体にボルトを設置した部材（１）をスプール（３）下部から挿入し、ゴム製球体にナットを設置した部材（２）をスプール（３）上部からボルトに締めこむことでドラッグ（４）内への水の侵入を防止し、スプールに巻かれた糸を水により長時間漬け置き洗浄ができる。
【発明の効果】  スプールの上部及び下部をゴム製の球体で塞ぐことによってドラッグ内への水の浸入を防止し、スプールに巻かれている糸を長時間水による漬け置き洗浄が可能となり、スプールを構成する金属の腐食防止、糸の劣化の防止が実現できる。
【図面の簡単な説明】
【図１】  本発明の分解斜視図である。
【発明を実施するための形態】
以下、本発明の実施の形態について説明する。
本請求は、ゴム製の球体にボルトを設置した部材（１）をスプール（３）下部から挿入し、ゴム製球体にナットを設置した部材（２）をスプール（３）上部からボルトに締めこむことで、ドラッグ（４）内への水の浸入を防止し、スプールへ巻かれた糸を長時間水による漬け置き洗浄ができる。（図１参照）
【符号の説明】（１）    ゴム製の球体にボルトを設置した部材
（２）    ゴム製球体にナットを設置した部材
（３）    スプール
（４）    ドラッグ
【図１】
2014204708.tif 000003